(57)【要約】【課題】省電力機能が自動停止して、表示が省電力機能の起動前と同一な状態に復旧されても、所有者が表示しているコンテンツがどのような内容であったかを思い出すために手動でコンテンツをスクロールアップして、既読部分を読み返すことが多かった。【解決手段】スクロール手段が省電力機能停止手段の実行時に表示コンテンツを自動でスクロールアップさせることで、操作者が手動でスクロールアップさせる必要がなくなり、操作性が向上する。【選択図】図２
2009020556.tif 000002
【特許請求の範囲】
【請求項１】
省電力機能を起動させる省電力機能起動手段と、
省電力機能を停止させる省電力機能停止手段と、
前記省電力機能起動手段の実行から前記省電力機能停止手段の実行までの経過時間を測定する省電力時間測定手段と、
前記省電力時間測定手段によって該経過時間に基づいて表示コンテンツのスクロールアップ行数を調整し、表示手段に表示するスクロール手段と、を備えた携帯型情報処理装置。
【請求項２】
前記省電力機能起動手段が起動する省電力機能は、
オペレーティングシステムを一時的に休眠状態にするサスペンド機能またはハイバネーション機能であることを特徴とする請求項１記載の携帯型情報処理装置。
【請求項３】
前記省電力機能起動手段は、
携帯型情報処理装置の上部筐体が閉じられることによって実行されることを特徴とする請求項１記載の携帯型情報処理装置。
【請求項４】
前記省電力機能停止手段が停止する省電力機能は、
オペレーティングシステムを一時的に休眠状態にするサスペンド機能またはハイバネーション機能であることを特徴とする請求項１記載の携帯型情報処理装置。
【請求項５】
前記省電力機能停止手段は
携帯型情報処理装置の上部筐体が開かれることによって実行されることを特徴とする請求項１記載の携帯型情報処理装置。
【請求項６】
前記スクロール手段は、
前記表示手段のスクロール方向の表示可能行数によって、スクロール量を調整することを特徴とする請求項１記載の情報処理装置。
【請求項７】
表示手段を備えた請求項１記載の携帯型情報処理装置のスクロール方法であって、
省電力機能起動手段により動作状態からサスペンド機能を起動する省電力機能起動手順と、
サスペンドからレジュームに移行するとき、省電力機能停止手段によりレジュームに移行する省電力機能停止手順と、
省電力時間測定手段によりサスペンドからレジュームまでの経過時間を測定する省電力時間測定手順と、
スクロール手段によりサスペンドからレジュームまでの経過時間に比例した、あるいは表示手段の表示可能行数に基づいたスクロール行数を算出するスクロール手順と、
表示手段に表示する表示手順と
を含む携帯情報処理装置のスクロール方法。
【発明の詳細な説明】
【技術分野】
【０００１】
本発明は、携帯型情報処理装置のコンテンツ表示に関するものである。
【背景技術】
【０００２】
従来、携帯電話は、本体上部筐体の開閉を検知して、省電力機能の自動起動と自動停止を行うことで、使い勝手の良い省電力機能を実現できることは広く知られている。
【０００３】
その実施形態を図５，図６に示す。
【０００４】
図５は、従来の折りたたみ式の携帯電話の概観を示す正面図であり、（ａ）は筐体を開いた状態であり、（ｂ）は筐体を閉じた状態である。
【０００５】
図６は、従来の折りたたみ式の携帯電話の概観を示す側面図であり、（ａ）は筐体を開いた状態であり、（ｂ）は筐体を閉じた状態である。
【０００６】
図５、図６において、１０１は表示コンテンツを表示するための画面１０３を有する上部筐体、１０２は携帯電話の本体でもある下部筐体である。１０４はヒンジ部であり、上部筐体１０１と下部筐体１０２を開閉自在に連結している。１０５は、携帯電話の操作を行うためのボタンであり、表示コンテンツを操作し、スクロールするスクロールのためにも利用される。
【０００７】
図５（ａ），図６（ａ）のように携帯電話を上部筐体１０１、下部筐体１０２を開いた状態で携帯電話を使用し、電源をオン状態で図５（ｂ），図６（ｂ）のように上部筐体１０１、下部筐体１０２を閉じた状態で一定時間、無操作状態が続いた場合には省電力機能を自動起動してバッテリの不要な消耗を避ける方法が広く利用されている。
【０００８】
さらに近年、情報処理装置の軽量小型化が進むにつれ、携帯電話やＰＤＡ、モバイルパソコンなど携帯可能な情報処理装置を屋外へ持ち出しすることも盛んに行われるようになった。
【０００９】
このとき、屋外で使用する場合の主電源はバッテリ供給となることが多いため、頻繁に省電力機能の起動と停止を繰り替えされる傾向がある。
【００１０】
しかしながら、従来の技術では省電力機能が停止して、表示画面が省電力機能の起動前と同じ状態に復旧しても、所有者は表示しているコンテンツがどのような内容であったかを思い出すために手動でボタン１０５を操作して表示コンテンツをスクロールアップして、既読部分を読み返すことが多く、操作が煩わしいという課題を有していた。
【特許文献１】特開２００２−５５９２９号公報
【特許文献２】特開２００２−２２９６８４号公報
【特許文献３】特開２００５−６５０１６号公報
【特許文献４】特開２００３−２８３６１４号公報
【特許文献５】特開２０００−５９４８１号公報
【発明の開示】
【発明が解決しようとする課題】
【００１１】
本発明は、上記課題を解決するものであり、本体上部筐体の開閉を検知して、省電力機能の自動起動と自動停止を行い、省電力機能停止時に経過時間の長短で表示コンテンツのスクロール量を調整することができる携帯型情報処理装置を提供することを目的とする。
【課題を解決するための手段】
【００１２】
上記課題を解決するために本発明の携帯型情報処理装置では、省電力機能を起動させる省電力機能起動手段と、
省電力機能を停止させる省電力機能停止手段と、
前記省電力機能起動手段の実行から前記省電力機能停止手段の実行までの経過時間を測定する省電力時間測定手段と、
前記省電力時間測定手段によって該経過時間に基づいて表示コンテンツのスクロールアップ行数を調整し、表示手段に表示するスクロール手段と、を有しており、
スクロール手段が省電力機能停止手段の実行時に表示コンテンツを自動でスクロールアップさせることで、操作者が手動でスクロールアップさせる必要がなくなり、操作性が向上する。
【００１３】
さらに、スクロール手段は表示手段のスクロール方向の表示サイズによって、スクロール量を調整する。すなわち、表示手段を縦長で使用していた場合はスクロールアップの量を多くして、表示手段を横長で使用していた場合はスクロールアップの量を少なくすることで、表示方向によって最適なスクロール量でのスクロール処理を提供することできる。
【００１４】
さらに、省電力機能起動手段の実行から省電力機能停止手段の実行までの経過時間を測定する省電力時間測定手段を有して、スクロール手段は省電力時間測定手段が測定した経過時間の長短によってスクロール量を調整する。すなわち、経過時間が長かった場合は、コンテンツのかなりの部分の記憶が薄れている可能性が高いと判断しスクロールアップの量を多くして、経過時間が短かった場合は、コンテンツのかなりの部分の記憶を覚えている可能性が高いと判断しスクロールアップの量を少なくすることで、経過時間によって最適なスクロール量でのスクロール処理を提供することができる。
【発明の効果】
【００１５】
本発明の携帯型情報処理装置によれば、本体上部筐体の開閉を検知して、省電力機能の自動起動と自動停止を行い、省電力機能停止時に経過時間の長短で表示コンテンツのスクロール量を調整することで、所有者は表示しているコンテンツがサスペンド機能の継続前にどのような内容であったかを思い出すためにスクロール操作の煩わしさを解消し、操作性を低下させずに省電力機能を効果的に動作させることができる。
【発明を実施するための最良の形態】
【００１６】
以下、本発明の実施の形態について、図１から図４を用いて説明する。
【００１７】
（実施の形態１）
図１は、本発明の第１の実施の形態に係る携帯型情報処理装置の概念的な構成図である。
【００１８】
図１において、３０１は省電力機能を起動させる省電力機能起動手段、３０２は省電力機能を停止させる省電力機能停止手段、３０３は省電力機能起動手段の実行から省電力機能停止手段の実行までの経過時間を測定する省電力時間測定手段、３０４は表示コンテンツをスクロールするスクロール手段、３０５は表示手段である。
【００１９】
図２は本発明の第１の実施の形態に係るスクロール動作を示す説明図である。
【００２０】
サスペンドから復帰するリジューム間隔の長短によってスクロールする行数を調整する。
【００２１】
図２において、１０１は上部筐体、１０２は下部筐体、１０３は表示コンテンツを表示する画面、１０５は表示コンテンツの操作を行うためのボタン、５０１−１〜５０１−３は画面１０３の詳細図、５０２−１〜５０２−３はサスペンド−レジューム（サスペンド解除、携帯電話は動作状態に移行）時間経過を示す時計の図である。
【００２２】
以上のように構成された携帯型情報処理装置について、携帯電話を例にして図１から図２を用いてその動作を説明する
図２において、まず、携帯電話の動作状態（図２（ｄ））からサスペンド機能を起動する。折りたたみ式の携帯電話では、上部、下部筐体１０１，１０２が閉じられた場合に携帯電話の動作状態からサスペンド機能を起動し省電力モードになる。携帯電話の動作状態（図２（ｄ））では表示画面は５０１−１のように１０〜１７行目までが表示され、時刻は５０２−１（０分）である。
【００２３】
つぎに、サスペンド機能を起動、５分経過後上部、下部筐体１０１，１０２を開いてサスペンド機能、省電力機能を停止するレジューム状態では（図２（ｅ））、表示画面は５分前の５０１−１の表示より３行スクロールアップして表示する（５０１−２）。このような表示動作により、所有者は表示しているコンテンツがサスペンド前にどのような内容であったかを思い出すために手動でボタン１０５を操作して表示コンテンツをスクロールする煩わしさから解消される。
【００２４】
同様に携帯電話の動作状態（図２（ｄ））からサスペンド機能を起動、１５分経過後上部、下部筐体１０１，１０２を開いたレジューム状態では（図２（ｆ））、表示画面は１５分前の５０１−１の表示より８行スクロールアップして表示する（５０１−３）。すなわち、携帯電話の動作状態からサスペンド機能を起動後からレジュームまでの経過時間に比例してスクロールアップの行数を変化させることで、所有者は表示しているコンテンツがサスペンド機能の継続前にどのような内容であったかを思い出すためにスクロール操作の煩わしさを解消する。スクロールアップの行数を変化の度合いは、人の記憶特性に応じて変化すればよい。
【００２５】
実施の形態１の携帯電話によれば、本体上部筐体の開閉を検知して、省電力機能の自動起動と自動停止を行い、省電力機能停止時に経過時間の長短で表示コンテンツのスクロール量を調整することで、所有者は表示しているコンテンツがサスペンド機能の継続前にどのような内容であったかを思い出すためにスクロール操作の煩わしさを解消し、操作性を低下させずに省電力機能を効果的に動作させることができる。
【００２６】
なお、サスペンドとはスタンバイとも言い、つまり携帯型情報処理装置の電源を切る直前の状態を保存して、次に電源を入れたときに電源を切る直前の状態から、作業を再開する機能である。すなわち、省電力機能起動手段とは、サスペンド（スタンバイ）モードを起動して携帯型情報処理装置の電源を切る直前の状態を保存して省電力モードに切り替える手段である。レジュームとは携帯型情報処理装置の電源を切る直前の状態を保存して、次に電源を入れたときに電源を切る直前の状態（サスペンド）から作業を再開する機能である。
【００２７】
また、ハイバネーションは休止状態とも言い、サスペンド（スタンバイ）と同様の機能を有する。サスペンド（スタンバイ）は揮発性のメインメモリを用い、ハイバネーションは不揮発性の記憶領域を用いる点で異なる。
【００２８】
（実施の形態２）
図３は本発明の第２の実施の形態に係るスクロール動作を示す説明図である。
【００２９】
図３において、６０１−１、６０１−２は表示コンテンツを表示する横長の画面を示したもので一度に６行の表示が可能なもの、６０２−１，６０２−２は表示コンテンツを表示する横長の画面を示したもので一度に３行の表示が可能なもの、６０３−１，６０３−２は表示コンテンツを表示する縦長の画面を示したもので一度に８行の表示が可能なものの詳細図である。４０１，４０２はサスペンド−レジューム（サスペンド解除、動作状態に移行）の時間経過を示す時計の図である。
【００３０】
以上のように構成された携帯電話について、図３を用いてその動作を説明する。
【００３１】
図３において、（ｇ）から（ｇ´）、（ｈ）から（ｈ´），（ｉ）から（ｉ´）はサスペンド−レジュームの時間経過は１５分である。またスクロール行数は表示可能行数に比例している。すなわち、図３（ｇ）の表示可能行数６行に対して６行スクロールアップ、図３（ｈ）の表示可能行数３行に対して３行スクロールアップ、図３（ｉ）の表示可能行数８行に対して８行スクロールアップする。
【００３２】
図３（ｈ）のように横長画面で文字が大きく３行の表示しか可能でない場合に、仮に実施の形態１のように１５分の経過時間に対して８行のスクロールアップをしたときには図３（ｈ´）では２〜４行目の表示になり、途中の５〜９行の表示が途切れてしまい所有者には好ましい表示とは言えない。従って、経過時間に対してスクロール行数は比例するが表示可能行数によってはスクロール行数の上限を決めておくのが好適である。
【００３３】
このようにすることで、所有者には表示しているコンテンツがサスペンド機能の継続前にどのような内容であったかを思い出すためにスクロール操作の煩わしさを解消し、さらに表意可能行数に応じた適切なスクロールアップ行数とすることで操作性をより向上する。
【００３４】
（実施の形態３）
図４は、携帯電話を例にして、省電力機能停止時に経過時間の長短で表示コンテンツのスクロール量を調整する流れ図である。
【００３５】
図１、図４を用いてそのフローを説明する。
【００３６】
携帯電話の省電力機能起動手段３０１により上部筐体を閉じることで動作状態からサスペンド機能を起動する。
【００３７】
次に、上部筐体を開けてサスペンドからレジュームに移行する。このとき、省電力機能停止手段３０２が動作し、レジュームに移行するとともに（省電力機能停止手順４０２）、省電力時間測定手段によりサスペンドからレジュームまでの経過時間を測定する（省電力時間測定手順４０３）。さらに、スクロール手段３０４によりサスペンドからレジュームまでの経過時間に比例した、あるいは表示手段３０５の表示可能行数に基づいたスクロール行数を算出し（スクロール手順４０４）、表示手段３０５に表示させる（表示手順４０５）。
【００３８】
以上のように本実施の形態によれば、本体上部筐体の開閉を検知して、省電力機能の自動起動と自動停止を行い、省電力機能停止時に経過時間の長短で表示コンテンツのスクロール量を調整することで、所有者は表示しているコンテンツがサスペンド機能の継続前にどのような内容であったかを思い出すためにスクロール操作の煩わしさを解消し、操作性を低下させずに省電力機能を効果的に動作させることができる。
【００３９】
なお、携帯型情報処理装置の一例として携帯電話を例にとって説明したが、ＰＤＡやタブレット型の表示装置、モバイルＰＣなど上部筐体・下部筐体を実装している携帯型情報処理装置も対象とする。また、縦・横の表示を切り替えることの出来る携帯型情報処理装置では、表示装置の縦使い／横使いによってスクロール量を調整し、表示可能行数に合わせてスクロールアップする行数を調整する。
【産業上の利用可能性】
【００４０】
本発明にかかる携帯型情報処理装置は、本体上部筐体の開閉を検知して、省電力機能の自動起動と自動停止を行い、省電力機能停止時に経過時間の長短で表示コンテンツのスクロール量を調整することで、操作性を低下させずに省電力機能を効果的に動作させることが可能となり、携帯型情報処理装置の表示機能等として有用である。
【図面の簡単な説明】
【００４１】
【図１】本発明の第１の実施の形態に係る携帯型情報処理装置の概念的な構成図
【図２】本発明の第１の実施の形態に係るスクロール動作を示す説明図
【図３】本発明の第２の実施の形態に係るスクロール動作を示す説明図
【図４】本発明の第３の実施の形態に係る省電力機能停止時に経過時間の長短で表示コンテンツのスクロール量を調整する流れ図
【図５】従来の折りたたみ式の携帯電話の概観を示す正面図
【図６】従来の折りたたみ式の携帯電話の概観を示す側面図
【符号の説明】
【００４２】
１０１  上部筐体
１０２  下部筐体
１０３  表示コンテンツを表示するための画面
１０４  ヒンジ部
１０５  表示コンテンツの操作を行うためのボタン
３０１  省電力機能起動手段
３０２  省電力機能停止手段
３０３  省電力時間測定手段
３０４  スクロール手段
３０５  表示手段
４０１  省電力機能起動手順
４０２  省電力機能停止手順
４０３  省電力時間測定手順
４０４  スクロール手順
４０５  表示手順
５０１  表示コンテンツを表示するための画面の詳細図
５０２  時間経過を概念的に示す時計の図
６０１  表示コンテンツを表示する横長の画面を示したもので一度に６行の表示が可能なものの詳細図
６０２  表示コンテンツを表示する横長の画面を示したもので一度に３行の表示が可能なものの詳細図
６０３  表示コンテンツを表示する縦長の画面を示したもので一度に８行の表示が可能なものの詳細図
【図１】
2009020556.tif 000003
【図６】
2009020556.tif 000004
【図２】
2009020556.tif 000005
【図３】
2009020556.tif 000006
【図４】
2009020556.tif 000007
【図５】
2009020556.tif 000008